(57)【要約】【課題】安価に構成できると共に受信レベルの低いチャンネルについても確実に受信でき、所定の信号レベルに調整して再送信できるようにする。【解決手段】アンテナ１０で受信されたａ〜ｅチャンネルの信号を分配器１３により広帯域増幅装置１４及び単チャンネル増幅装置２０に分配する。広帯域増幅装置１４は、ａ〜ｅチャンネルの信号を広帯域増幅器１５で増幅する。単チャンネル増幅装置２０は、入力信号の中からｅチャンネルの信号をバンドパスフィルタ２１で選択し、増幅器２２で増幅した後、ミキサ２３に入力し、局部発振信号と混合して他の放送信号等に影響のないｅ’チャンネルに変換し、更に増幅器２５で増幅した後、バンドパスフィルタ２６を介して出力する。混合器１６は、広帯域増幅装置１４で増幅されたａ〜ｅチャンネルと単チャンネル増幅装置２０から出力されるｅ’チャンネルとを混合し、出力端子１７から伝送路へ出力する。【選択図】    図１
2006229590.tif 000002
【特許請求の範囲】
【請求項１】
アンテナにより受信された複数チャンネルのデジタルテレビジョン放送信号を一括して増幅する広帯域増幅装置と、前記アンテナにより受信されたデジタルテレビジョン放送信号の中から受信レベルの低い特定のチャンネルの信号を選択し、適正レベルに増幅すると共に他の放送信号等に影響のない周波数領域へ周波数変換して出力する単チャンネル増幅装置と、前記広帯域増幅装置で一括して増幅された複数チャンネルの信号と前記単チャンネル増幅装置で増幅及び周波数変換された特定チャンネルの信号とを混合して伝送路に出力する混合器とを具備することを特徴とする地上デジタル放送再送信装置。
【請求項２】
アンテナにより受信された複数チャンネルのデジタルテレビジョン放送信号を一括して増幅する広帯域増幅装置と、前記アンテナにより受信されたデジタルテレビジョン放送信号の中から受信レベルの低い特定チャンネルの信号を選択し、適正レベルに増幅すると共に他の放送信号等に影響のない周波数領域へ周波数変換して出力する単チャンネル増幅装置と、前記広帯域増幅装置で一括して増幅された複数チャンネルの信号と前記単チャンネル増幅装置で増幅及び周波数変換されたチャンネルの信号とを混合して伝送路に出力する混合器とを具備し、
前記広帯域増幅装置は、前記単チャンネル増幅装置が選択する特定チャンネルに対する妨害波信号を発生する妨害波発生器を備え、該妨害波発生器により発生した妨害波信号を増幅した信号中に混入し、前記特定チャンネルに対して受信障害が生ずるように構成したことを特徴とする地上デジタル放送再送信装置。
【発明の詳細な説明】
【技術分野】
【０００１】
本発明は、地上デジタルテレビジョン放送を受信し、増幅及び周波数変換等の処理を行なって共同受信システムにより共同受信設備等に再送信する地上デジタル放送再送信装置に関する。
【背景技術】
【０００２】
地上デジタルテレビジョン放送は、ＵＨＦ帯域を使用してＯＦＤＭ（Orthogonal Frequency Division Multiplex：直交周波数分割多重）方式で送信しており、各チャンネルに割り当てられている６ＭＨｚの周波数帯域のうち、その殆どの帯域（５．６ＭＨｚ）を使用している。
【０００３】
従来のアナログテレビジョン放送は基本的に隣接となるチャンネルは使用していないが、地上デジタルテレビジョン放送では、隣接チャンネルに信号を配列している。各チャンネルの送信波を同一アンテナから同一出力で送出した場合、受信点においては隣接チャンネルのレベルに大きな差異は発生しないが、異なるアンテナや異なる出力で送出された場合、隣接レベルに大きな差異が発生することがある。
【０００４】
すなわち、地上デジタルテレビジョン放送では、共用のアンテナから広域のエリアに向けて送信する広域放送と、各県毎に独自の放送を行なっている県域放送がある。各放送地域におけるチャンネル配置はほぼ一定であり、例えば広域放送では共用のアンテナタワーから７チャンネル程度の放送波が送信され、県域放送では各放送局のアンテナからそれぞれ１波の放送波が送信される。この場合、県域放送では、通常、例えば１〜３局程度の放送局が設けられている。広域放送のチャンネルは同一アンテナから同一出力で送信されるため、受信点における受信レベルが比較的一定で安定している。しかし、県域放送のチャンネルは県域放送局のアンテナから送信され、その送信出力も広域放送と異なる場合が多いので、図９に示すように広域放送のチャンネルと県域放送のチャンネルとの間で受信レベルに大きな差異が発生することがある。図９は受信点における例えばａ〜ｅチャンネルの受信レベル状況を示したもので、ａ〜ｄチャンネル（広域放送）の受信レベルは殆ど同じであり、ｅチャンネル（県域放送）の受信レベルが小さくて隣接のｄチャンネルに対してレベル差Ａを生じている状態を示している。
【０００５】
上記のように地上デジタルテレビジョン放送では、隣接チャンネルに信号を配列しており、また、受信点における特定チャンネルの受信レベルが小さい場合がある。  
こため地上デジタルテレビジョン放送を受信し、増幅した後、共同受信システムにより共同受信設備等に再送信する従来の地上デジタル放送再送信装置では、一般に地上デジタルテレビジョン放送を各チャンネル毎に１波ずつ受信し、帯域外の信号を抑圧すると共に受信信号を所定のレベルを合わせた後、伝送路に出力している（例えば、特許文献１参照。）。
【０００６】
従来の地上デジタル放送再送信装置は、例えば図１０に示すように構成されている。すなわち、４７０ＭＨｚ〜７７０ＭＨｚのＵＨＦ帯の地上デジタルテレビジョン放送をアンテナ１で受信し、分配器２により複数の再送信増幅部３ａ〜３ｎに分配する。再送信増幅部３ａ〜３ｎは、シグナルプロセッサと呼ばれる単チャンネルの信号増幅器を使用し、各チャンネル例えばａ〜ｅチャンネルの信号レベルを調整し、全チャンネルの信号レベルを一定にして出力する。この再送信増幅部３ａ〜３ｎの出力信号は、混合器４で混合された後、出力端子５から伝送路６を介してシステム加入者宅へ伝送される。この場合、伝送路６により伝送される信号は、その伝送途中において伝送損失等により減衰を受けるため、伝送路６に所定の間隔で増幅装置７を設けて信号の増幅及び周波数特性の補正を行なっている。
【０００７】
一方、上記システム加入者宅では、上記伝送路６により送られてくるテレビジョン信号をテレビジョン受信機により受信する。一般にデジタル放送受信用のテレビジョン受信機では、初期設定時に全チャンネルをサーチして受信可能なチャンネルリストを作成し、以後、このチャンネルリストに基づいて受信チャンネルを選択するようにしている（例えば、特許文献１参照。）。上記受信可能なチャンネルリストを作成する際、チャンネルの受信の有無をＴＳ（Transport Stream）の受信の有無で判断している。
【特許文献１】特開２００３−３０９７３９号公報
【特許文献２】特開２００４−２８２２１１号公報
【発明の開示】
【発明が解決しようとする課題】
【０００８】
上記のように地上デジタルテレビジョン放送では、隣接チャンネルに信号を配列しており、また、広域放送と呼ばれるチャンネル群と県域放送と呼ばれる数チャンネルが各地域において存在しているので、県域放送チャンネルの受信レベルに大きな差異が発生することがある。このため従来の地上デジタル放送再送信装置では、各チャンネル別に再送信増幅部３ａ〜３ｎを設けて信号を処理しているので、非常に高価になるという問題がある。
【０００９】
本発明は上記の課題を解決するためになされたもので、安価に構成できると共に受信レベルの低いチャンネルについても確実に受信でき、所定の信号レベルに調整して再送信することができる地上デジタル放送再送信装置を提供することを目的とする。
【課題を解決するための手段】
【００１０】
第１の発明に係る地上デジタル放送再送信装置は、アンテナにより受信された複数チャンネルのデジタルテレビジョン放送信号を一括して増幅する広帯域増幅装置と、前記アンテナにより受信されたデジタルテレビジョン放送信号の中から受信レベルの低い特定のチャンネルの信号を選択し、適正レベルに増幅すると共に他の放送信号等に影響のない周波数領域へ周波数変換して出力する単チャンネル増幅装置と、前記広帯域増幅装置で一括して増幅された複数チャンネルの信号と前記単チャンネル増幅装置で増幅及び周波数変換された特定チャンネルの信号とを混合して伝送路に出力する混合器とを具備することを特徴とする。
【００１１】
第２の発明に係る地上デジタル放送再送信装置は、アンテナにより受信された複数チャンネルのデジタルテレビジョン放送信号を一括して増幅する広帯域増幅装置と、前記アンテナにより受信されたデジタルテレビジョン放送信号の中から受信レベルの低い特定チャンネルの信号を選択し、適正レベルに増幅すると共に他の放送信号等に影響のない周波数領域へ周波数変換して出力する単チャンネル増幅装置と、前記広帯域増幅装置で一括して増幅された複数チャンネルの信号と前記単チャンネル増幅装置で増幅及び周波数変換されたチャンネルの信号とを混合して伝送路に出力する混合器とを具備し、
前記広帯域増幅装置は、前記単チャンネル増幅装置が選択する特定チャンネルに対する妨害波信号を発生する妨害波発生器を備え、該妨害波発生器により発生した妨害波信号を増幅した信号中に混入し、前記特定チャンネルに対して受信障害が生ずるように構成したことを特徴とする。
【発明の効果】
【００１２】
本発明によれば、受信レベルにあまり差のないチャンネル群と受信レベルが低い特定チャンネルが存在するデジタルテレビジョン放送の受信地域において、アンテナにより受信される複数チャンネルについては広帯域増幅装置で一括して増幅し、受信レベルの低い特定のチャンネルについては単チャンネル増幅装置で適正レベルに増幅すると共に他の放送信号等に影響のない周波数領域へ周波数変換して再送信することにより、構成を簡易化して低コスト化を図ることができ、かつ受信レベルの低い特定チャンネルに対しても伝送路に接続されるテレビジョン受信機で確実に受信することが可能になる。
【発明を実施するための最良の形態】
【００１３】
以下、図面を参照して本発明の実施形態を説明する。  
（第１実施形態）
図１は、本発明の第１実施形態に係る地上デジタル放送再送信装置の構成を示すブロック図である。図１において、１０はＵＨＦ用受信アンテナで、例えば４７０ＭＨｚ〜７７０ＭＨｚのＵＨＦ帯の地上デジタルテレビジョン放送を受信する。上記アンテナ１０で受信された信号は、地上デジタル放送再送信装置１１の入力端子１２に入力される。この入力端子１２に入力された信号は、分配器１３により２分配され、その一方の分配信号は広帯域増幅装置１４に入力され、他方の分配信号は単チャンネル増幅装置２０に入力される。
【００１４】
上記広帯域増幅装置１４は、広帯域増幅器１５を用いて構成したもので、上記ＵＨＦ用受信アンテナ１０で受信される全チャンネルの信号を一括して増幅する。上記広帯域増幅器１５で増幅された信号は混合器１６に入力される。
【００１５】
一方、上記単チャンネル増幅装置２０は、例えばバンドパスフィルタ（ＢＰＦ）２１、単チャンネルの増幅器２２、ミキサ２３、局部発振器２４、単チャンネルの増幅器２５、バンドパスフィルタ（ＢＰＦ）２６により構成され、受信レベルの低い特定チャンネルを選択して適正レベルに増幅し、他の放送信号等に影響を与えない周波数領域に変換して出力する。
【００１６】
上記バンドパスフィルタ２１は、受信レベルの低い特定チャンネルを選択するためのものであるが、必ずしも急峻な特性を持つ必要はなく、他チャンネルの信号レベルを適正に抑圧できるものであれば良い。テレビジョン放送を受信する各受信地域によって受信レベルの低いチャンネルが特定されるので、そのチャンネルに合わせて上記バンドパスフィルタ２１の周波数が予め設定される。
【００１７】
上記バンドパスフィルタ２１で選択された信号は、増幅器２２で増幅された後、周波数変換回路を構成するミキサ２３に入力される。このミキサ２３には、局部発振器２４から局部発振信号が入力される。上記ミキサ２３は、増幅器２２で増幅された特定チャンネルを空チャンネル、すなわち他の放送信号等に影響を与えない周波数領域に変換するもので、局部発振器２４の発振周波数Ｌｏを上記空チャンネルに合わせて設定する。
【００１８】
上記ミキサ２３で周波数変換された信号は、増幅器２５に入力されて増幅され、バンドパスフィルタ２６を介して出力される。このバンドパスフィルタ２６の出力信号は、単チャンネル増幅装置２０の出力として混合器１６に入力される。上記バンドパスフィルタ２６は、ミキサ２３で周波数変換されたチャンネルを選択するように通過域の周波数が設定される。
【００１９】
そして、上記混合器１６は、広帯域増幅装置１４で増幅された複数チャンネルの信号と単チャンネル増幅装置２０で増幅及び周波数変換された特定チャンネルの信号とを混合し、出力端子１７から共同受信システムの伝送路（図示せず）へ出力する。
【００２０】
次に、上記のように構成された地上デジタル放送再送信装置１１の動作を例えば図２に示すようにＵＨＦ帯のａ〜ｅチャンネル（ｃｈ）の地上デジタルテレビジョン放送を受信して再送信する場合について説明する。この場合、ａ〜ｄチャンネルの受信レベルが略同じであり、ｅチャンネルの受信レベルが低いものとする。また、具体的な例として、
ａ＝１９チャンネル（中心周波数：５０９ＭＨｚ）
ｂ＝２０チャンネル（中心周波数：５１５ＭＨｚ）
ｃ＝２１チャンネル（中心周波数：５２１ＭＨｚ）
ｄ＝２２チャンネル（中心周波数：５２７ＭＨｚ）
ｅ＝２３チャンネル（中心周波数：５３３ＭＨｚ）
の信号を受信するものとする。
【００２１】
また、受信レベルの低い特定チャンネルが２３チャンネル（中心周波数：５３３ＭＨｚ）の場合、その帯域は５３０〜５３６ＭＨｚであるので、バンドパスフィルタ２１の通過域を５３０〜５３６ＭＨｚに設定する。また、上記ｅチャンネルを例えば３２チャンネル（５８４〜５９０ＭＨｚ）の信号ｅ’に変換するものとし、局部発振器２４の発振周波数Ｌｏを５４ＭＨｚに設定する。従って、バンドパスフィルタ２６としては、３２チャンネルである５８４〜５９０ＭＨｚの信号を選択するように通過域を設定する。
【００２２】
上記の構成において、ＵＨＦ用受信アンテナ１０でａ〜ｅチャンネルの放送信号が受信され、入力端子１２より分配器１３に入力される。分配器１３は、ＵＨＦ用受信アンテナ１０で受信されたａ〜ｅチャンネルの放送信号を２分配し、広帯域増幅装置１４及び単チャンネル増幅装置２０に入力する。広帯域増幅装置１４に入力されたａ〜ｅチャンネルの信号は、広帯域増幅器１５で増幅されて混合器１６に入力される。
【００２３】
また、単チャンネル増幅装置２０に入力された信号は、ｅチャンネルの信号がバンドパスフィルタ２１で選択され、増幅器２２で増幅された後、ミキサ２３に入力されて局部発振信号と混合され、３２チャンネル（５８４〜５９０ＭＨｚ）の信号、すなわちｅ’チャンネルの信号に変換される。このｅ’チャンネルの信号は、増幅器２５で適正レベルに増幅された後、バンドパスフィルタ２６により選択されて混合器１６へ送られる。
【００２４】
混合器１６は、図２に示すように広帯域増幅装置１４で増幅されたａ〜ｅチャンネルと単チャンネル増幅装置２０から出力されるｅ’チャンネルとを混合し、出力端子１７から共同受信システムの伝送路へ出力、すなわち再送信する。このときバンドパスフィルタ２１の特性が急峻でなく、ある程度緩やかな特性を持っていた場合、バンドパスフィルタ２１からｃ、ｄチャンネルの信号が抑圧された状態で出力され、ミキサ２３でｃ’（３０チャンネル）、ｄ’（３１チャンネル）の信号に変換され、増幅器２５及びバンドパスフィルタ２６を介して混合器１６に入力される。従って、混合器１６で混合された信号には、図２に示すようにａ〜ｅチャンネルの信号、ｅ’チャンネルの信号と共に、抑圧されたｃ’、ｄ’チャンネルの信号が含まれる。
【００２５】
上記のようにＵＨＦ用受信アンテナ１０で受信されたａ〜ｅチャンネルの信号は広帯域増幅装置１４で増幅され、また、受信レベルの低いｅチャンネルの信号は単チャンネル増幅装置２０で増幅及び周波数変換される。上記広帯域増幅装置１４で増幅されたａ〜ｅチャンネルの信号及び単チャンネル増幅装置２０から出力されるｃ’、ｄ’、ｅ’チャンネルの信号が混合器１６で混合されて出力端子１７から伝送路に出力される。
【００２６】
上記地上デジタル放送再送信装置１１から共同受信システムの伝送路に出力される信号のうち、ａ〜ｄチャンネルの信号はレベル差があまりないので、隣接チャンネルに信号を配列している場合であっても、テレビジョン受信機で支障なく受信することができる。また、単チャンネル増幅装置２０で増幅されたｅチャンネルの信号は、他の放送信号等に影響のない周波数領域へ周波数変換されるので、テレビジョン受信機で確実に受信することができる。この場合、同一ネットワークＩＤを持つ信号（ｅ、ｅ’）が複数存在することになるが、テレビジョン受信機は、初期設定時に全チャンネルをサーチし、受信状態の良いチャンネルを選択してリストを作成するので、上記ｅ、ｅ’チャンネルのうち受信状態の良いｅ’チャンネルがチャンネルリストに登録される。
【００２７】
すなわち、ｅチャンネルとｅ’チャンネルの信号を比較した場合、ｅチャンネルの信号は隣接チャンネルよりレベルがかなり低いのに対し、ｅ’チャンネルの信号は適正レベルを有し、且つ隣接チャンネルｄ’の信号よりも高いレベルを有しているので、テレビジョン受信機は全チャンネルをサーチした際にｅ’チャンネルを選択してリストに登録する。従って、同一ネットワークＩＤを持つ信号（ｅ、ｅ’）が複数存在した場合であっても、テレビジョン受信機はｅ’チャンネルの信号を正しく選択して受信することができる。また、ｃ、ｄチャンネルの信号も同一ネットワークＩＤを持つ信号（ｃ、ｃ’とｄ、ｄ’）が複数存在することになるが、この場合にはｃ’、ｄ’チャンネルの信号レベルがｃ、ｄチャンネルの信号に比較してかなり低いので、ｃ、ｄチャンネルが正しく選択されて受信される。
【００２８】
上記第１実施形態によれば、受信レベルにあまり差のない広域放送等のチャンネル群に対し、受信レベルが低い県域放送等のチャンネルが存在する地域において、受信レベルの低いチャンネルについては単チャンネル増幅装置２０で適正レベルに増幅すると共に他の放送信号等に影響のない周波数領域へ周波数変換して共同受信システムの伝送路へ出力しているので、受信レベルの低いチャンネルであってもシステム加入者宅のテレビジョン受信機で確実に受信することができる。また、受信レベルにあまり差のない広域放送等のチャンネル群に対しては、広帯域増幅器１５で一括して増幅することができるので、地上デジタル放送再送信装置１１の構成を簡易化でき、低コスト化を図ることができる。
【００２９】
（第２実施形態）
次に本発明の第２実施形態に係る地上デジタル放送再送信装置について説明する。  
上記第１実施形態では、分配器１３で分配された信号からｅチャンネルを選択して増幅する単チャンネル増幅装置２０において、ｅチャンネルを直接ｅ’チャンネルに周波数変換する場合について示したが、この第２実施形態では図３に示すように単チャンネル増幅装置２０に代えて単チャンネル増幅装置２０を設け、分配器１３で分配された信号の中からｅチャンネルを選択して中間周波信号ＩＦに一旦変換し、その後、この中間周波信号ＩＦをｅ’チャンネルに周波数変換するようにしたものである。その他の構成は、第１実施形態と同様であるので、同一部分には同一符号を付して詳細な説明は省略する。
【００３０】
上記単チャンネル増幅装置２０は、図３に示すようにｅチャンネルを中間周波信号ＩＦに変換する第１の周波数変換部３０ａと、この第１の周波数変換部３０ａで変換された中間周波信号を他の放送信号等に影響のない周波数領域であるｅ’チャンネルに周波数変換する第２の周波数変換部３０ｂからなっている。
【００３１】
上記第１の周波数変換部３０ａは、ｅチャンネルを選択するバンドパスフィルタ２１、ｅチャンネルの信号を増幅する増幅器２２、この増幅器２２で増幅された信号を中間周波信号ＩＦに変換するミキサ２３及び局部発振器２４、上記ミキサ２３で変換された中間周波信号ＩＦを増幅する増幅器２５、この増幅器２５で増幅された中間周波信号ＩＦを選択するバンドパスフィルタ２６からなり、ｅチャンネルの信号が中間周波信号ＩＦに変換されるように局部発振器２４の発振周波数を設定している。例えばｅチャンネルが２３チャンネル（中心周波数５３３ＭＨｚ）で、中間周波信号ＩＦが５７ＭＨｚである場合、局部発振器２４の発振周波数Ｌｏ１は、ｅチャンネルの中心周波数５３３ＭＨｚと中間周波信号ＩＦの５７ＭＨｚを加算した値、すなわち「Ｌｏ１＝５３３＋５７ＭＨｚ＝５９０ＭＨｚ」に設定する。また、バンドパスフィルタ２１は通過域の中心周波数を５３３ＭＨｚ（帯域６ＭＨｚ）、バンドパスフィルタ２６は通過域の中心周波数を５７ＭＨｚ（帯域６ＭＨｚ）に設定する。
【００３２】
また、第２の周波数変換部３０ｂは、中間周波信号ＩＦを増幅する増幅器３１、中間周波信号ＩＦをｅ’チャンネルの信号に変換するミキサ３２及び局部発振器３３、ｅ’チャンネルの信号を増幅する増幅器３４、ｅ’チャンネルの信号を選択するバンドパスフィルタ２６からなり、中間周波信号ＩＦがｅ’チャンネルに変換されるように局部発振器３３の発振周波数を設定している。例えば中間周波信号ＩＦが５７ＭＨｚでｅ’チャンネルが３２チャンネル（中心周波数５８７ＭＨｚ）である場合、局部発振器３３の発振周波数Ｌｏ２は、ｅ’チャンネルの中心周波数５８７ＭＨｚと中間周波信号ＩＦの５７ＭＨｚを加算した値、すなわち「Ｌｏ２＝５８７＋５７ＭＨｚ＝６４４ＭＨｚ」に設定する。また、バンドパスフィルタ３５は通過域の中心周波数を５８７ＭＨｚ（帯域６ＭＨｚ）に設定する。
【００３３】
上記のように単チャンネル増幅装置２０において、分配器１３で分配された信号の中からｅチャンネルを選択して中間周波信号ＩＦに一旦変換し、その後、この中間周波信号ＩＦをｅ’チャンネルに周波数変換することにより、図４に示すようにｅ’チャンネルの信号のみを選択して出力することができる。このｅ’チャンネルの信号は、混合器１６に入力され、広帯域増幅装置１４で増幅されたａ〜ｅの信号と混合され、出力端子１７から共同受信システムの伝送路へ出力される。
【００３４】
上記第２実施形態によれば、単チャンネル増幅装置２０において、目的とするｅチャンネルのみを選択してｅ’チャンネルに周波数変換でき、ｅチャンネルに隣接するチャンネルの信号を除去することができるので、システム加入者宅に設けられるテレビジョン受信機では、ａ〜ｄチャンネル及びｅ’チャンネル（ｅチャンネル）の放送を確実に受信することが可能になる。
【００３５】
（第３実施形態）
次に本発明の第３実施形態に係る地上デジタル放送再送信装置について説明する。  
地上デジタルテレビジョン放送では、上記したようにＵＨＦ帯域を使用して電波を送信している。このためＵＨＦ帯域を持っていなかったり、放送と同じ帯域を既に使用している共同受信設備の場合、受信した地上デジタルテレビジョン放送信号を他の周波数帯に変換して共同受信システムの伝送路に再送信する必要がある。
【００３６】
この第３実施形態では、受信した地上デジタルテレビジョン放送信号を他の周波数帯に変換して共同受信システムの伝送路に送出する場合の例について示したものである。なお、受信地点におけるテレビジョン放送の受信条件は、上記実施形態と同様であり、図６（ａ）に示すようにａ〜ｅチャンネルのテレビジョン放送を受信する場合において、ｅチャンネルの受信レベルが低いものとする。
【００３７】
図５は、第３実施形態に係る地上デジタル放送再送信装置１１の構成例を示したもので、広帯域増幅装置１４を次のように構成している。すなわち、広帯域増幅装置１４は、ａ〜ｄチャンネルの信号を選択するバンドパスフィルタ４１、広帯域増幅器１５、ａ〜ｄチャンネルを他の放送信号等に影響のない周波数帯域のａ’〜ｄ’チャンネルに変換するミキサ４２及び局部発振器４３、周波数変換されたａ’〜ｄ’チャンネルの信号を増幅する広帯域増幅器４４、ａ’〜ｄ’チャンネルを選択するバンドパスフィルタ４５により構成している。また、単チャンネル増幅装置２０は、第２実施形態に示したものと同様の構成であるが、第１の周波数変換部３０ａで変換されたＩＦ信号を第２の周波数変換部３０ｂでｅ’チャンネルとは異なるｅ”チャンネルに変換している。
【００３８】
次に、各部の具体的な設定例について説明する。広帯域増幅装置１４のバンドパスフィルタ４１は、ａ〜ｄチャンネルの信号帯域、すなわち５０６〜５３０ＭＨｚの通過域に設定する。そして、ａ〜ｄチャンネルは、例えば図６（ｂ）に示すようにアナログテレビジョン放送（ＶＨＦ帯）の第３チャンネルと第４チャンネルの間の周波数帯におけるａ’〜ｄ’チャンネル、
ａ’＝Ｃ１５チャンネル（中心周波数：１２３ＭＨｚ）
ｂ’＝Ｃ１６チャンネル（中心周波数：１２９ＭＨｚ）
ｃ’＝Ｃ１７チャンネル（中心周波数：１３５ＭＨｚ）
ｄ’＝Ｃ１８チャンネル（中心周波数：１４１ＭＨｚ）
に変換する。このときａ〜ｅチャンネルの中心周波数が５２１ＭＨｚ、ａ’〜ｅ’チャンネルの中心周波数が１３５ＭＨｚであるので、局部発振器４３の局部発信周波数Ｌｏ３は、「Ｌｏ３＝５２１−１３５＝３８６ＭＨｚ」に設定する。また、バンドパスフィルタ４５は、ａ’〜ｄ’チャンネルの信号帯域を選択するように、すなわち１２０〜１４４ＭＨｚの通過域に設定する。
【００３９】
また、単チャンネル増幅装置２０は、第１の周波数変換部３０ａで変換する中間周波数ＩＦを５７ＭＨｚとすると、局部発振器２４の発信周波数Ｌｏ１を「Ｌｏ１＝５３３＋５７ＭＨｚ＝５９０ＭＨｚ」に設定する。そして、第１の周波数変換部３０ａで変換された５７ＭＨｚの中間周波信号ＩＦを第２の周波数変換部３０ｂでｅ”チャンネル、すなわちＣ２２チャンネル（中心周波数：１６７ＭＨｚ）に変換するものとすると、第２の周波数変換部３０ｂにおける局部発振器３３の発振周波数Ｌｏ２を「Ｌｏ２＝１６７＋５７ＭＨｚ＝２２４ＭＨｚ」に設定する。また、バンドパスフィルタ３５は、通過域の中心周波数を１６７ＭＨｚ（帯域６ＭＨｚ）に設定する。
【００４０】
上記の設定とすることにより、広帯域増幅装置１４は、分配器１３で分配されたａ〜ｅチャンネルのうち、ａ〜ｄチャンネルの信号をバンドパスフィルタ４１で選択し、広帯域増幅器１５で増幅した後、ミキサ４２でａ’〜ｄ’チャンネルに周波数変換し、更に広帯域増幅器４４で増幅し、バンドパスフィルタ４５を介して出力する。この場合、バンドパスフィルタ４１、４５は、フィルタ特性が急峻ではなく、隣接チャンネルに対してもある程度の通過域を有しているので、図６（ｂ）に示すようにａ〜ｄチャンネルだけでなく、ｅチャンネルもｅ’チャンネルに周波数変換されて出力される。
【００４１】
一方、単チャンネル増幅装置２０は、分配器１３で分配されたａ〜ｅチャンネルの中からｅチャンネルの信号を第１の周波数変換部３０ａで中間周波信号ＩＦに変換し、この中間周波信号ＩＦを第２の周波数変換部３０ｂでｅ”チャンネルに変換して出力する。
【００４２】
上記広帯域増幅装置１４から出力されるａ’〜ｅ’チャンネルの信号及び単チャンネル増幅装置２０から出力されるｅ”チャンネルの信号は、混合器１６で混合されて出力端子１７から出力される。
【００４３】
上記のように第３実施形態では、ＵＨＦ帯域を持っていなかったり、放送と同じ帯域を既に使用している共同受信設備の場合においても、受信した地上デジタルテレビジョン放送信号を他の放送信号等に影響のない周波数領域へ周波数変換して出力することができる。この場合、共同受信システムの伝送路上に同一ネットワークＩＤを持つ信号（ｅ’、ｅ”）が複数存在することになるが、テレビジョン受信機はｅ’、ｅ”チャンネルの条件の良い信号をｅチャンネルとして認識するので問題はない。この場合の例では、ｅ’チャンネルに比較してｅ”チャンネルの信号レベルが大きく、且つ安定しているので、ｅ”チャンネルの信号が選択されて受信される。また、単チャンネル増幅装置２０において、目的とするｅチャンネルのみを選択してｅ”チャンネルに周波数変換しているので、システム加入者宅に設けられるテレビジョン受信機では、ａ’〜ｄ’チャンネル及びｅ”チャンネルの放送を確実に受信することが可能になる。
【００４４】
なお、上記第３実施形態では、単チャンネル増幅装置２０でｅチャンネルをｅ’チャンネルとは別のｅ”チャンネルに変換した場合について示したが、広帯域増幅装置１４でａ〜ｄチャンネルを一括して周波数変換した際、ｅ’チャンネルをある一定条件より低いレベルに抑えれば、ｅ”チャンネルをｅ’チャンネルの位置に配置することも可能である。
【００４５】
また、上記第３実施形態では、受信信号をアナログテレビジョン放送（ＶＨＦ帯）の第３チャンネルと第４チャンネルの間の周波数帯域へ変換する場合について説明したが、他の放送信号等に影響のない周波数領域であれば、その他の周波数帯域に変換しても良いことは勿論である。
【００４６】
（第４実施形態）
次に本発明の第４実施形態に係る地上デジタル放送再送信装置について説明する。  
上記第１〜第３実施形態では、共同受信システムの伝送路上に同一ネットワークＩＤを持つ信号例えばｅ、ｅ’チャンネルあるいはｅ’、ｅ”チャンネル等、複数存在しているが、テレビジョン受信機が条件の良い方の信号を認識して受信するので、受信条件があまり変動しない地域であれば特に問題はない。
【００４７】
しかし、テレビジョン受信機は、初期設定時に同一ネットワークＩＤを持つ信号が複数存在していた場合、条件の良い方のチャンネルを選択してチャンネルリストに登録し、以後、このチャンネルリストに基づいて受信制御を行なうので、受信条件が大きく変動するような地域において、初期設定時にたまたまｅチャンネルの受信レベルが高かった場合には、ｅチャンネルをチャンネルリストに登録してしまう可能性がある。テレビジョン受信機は、ｅチャンネルをチャンネルリストに登録した場合、以後、チャンネルリストに基づいてチャンネル選択を行なうので、受信条件の良いｅ’チャンネルの信号が送られてきていても、受信条件の悪いｅチャンネルを選択することになる。なお、上記チャンネルリストの再登録は可能であるが、その再登録操作は非常に面倒である。
【００４８】
このため第４実施形態では、通常、受信条件の悪いチャンネルが初期設定時に一時的に受信レベルが大きくなったとしても、チャンネルリストに登録されないように構成したものである。なお、受信地点におけるテレビジョン放送の受信条件は、上記各実施形態と同様であり、図８に示すようにａ〜ｅチャンネルのテレビジョン放送を受信する場合において、ｅチャンネルの受信レベルが低いものとする。
【００４９】
図７は、本発明の第４実施形態に係る地上デジタル放送再送信装置１１の構成例を示す図である。この第４実施形態は、図１に示した第１実施形態に対し、広帯域増幅装置１４における広帯域増幅器１５の出力側に混合器５１を設け、この混合器５１に妨害波発生器５２を接続したものである。この妨害波発生器５２は、単チャンネル増幅装置２０が対象とするチャンネル、この例ではｅチャンネルに対する妨害波信号を発生する。上記妨害波発生器５２で発生する妨害波は、例えばｅチャンネルの周波数に設定された単一キャリア信号等、ｅチャンネルの受信条件が良くなった場合においても、ｅチャンネルにとって受信障害となるレベルの信号であればどのような信号であっても良い。その他の構成は第１実施形態と同様の構成であるので、同一部分には同一符号を付して詳細な説明は省略する。
【００５０】
上記の構成において、アンテナで受信されたａ〜ｅチャンネルの信号は、入力端子１２より分配器１３に入力され、ここで２分配されて広帯域増幅装置１４及び単チャンネル増幅装置２０に入力される。広帯域増幅装置１４に入力されたａ〜ｅチャンネルの信号は、広帯域増幅器１５で増幅されて混合器５１に入力され、ここで妨害波発生器５２から出力される妨害波信号がｅチャンネルに対して混入される。すなわち、図８に示すようにｅチャンネルの帯域内に妨害波発生器５２で発生した妨害波信号Ｅが混入される。
【００５１】
一方、単チャンネル増幅装置２０は、第１実施形態で説明したように、分配器１３で分配されたａ〜ｅチャンネルの信号の中からｅチャンネルの信号を選択して増幅し、ミキサ２３でｅ’チャンネルに周波数変換して出力する。なお、単チャンネル増幅装置２０からは、上記したようにｃ、ｄチャンネルの信号もｃ’、ｄ’チャンネルに変換されて出力される。
【００５２】
上記広帯域増幅装置１４で増幅されたａ〜ｅチャンネルの信号（ｅチャンネルの妨害波信号Ｅを含む）及び単チャンネル増幅装置２０で増幅されたｅ’チャンネル（ｃ’、ｄ’チャンネルを含む）の信号は、混合器１６で混合され、出力端子１７から共同受信システムの伝送路に出力される。
【００５３】
上記のように広帯域増幅装置１４において、受信レベルの低いｅチャンネルに対して妨害波信号Ｅを混入することにより、上記伝送路に接続されているテレビジョン受信機がｅチャンネルの受信条件が良いときに初期設定を行なったとしても、受信障害の発生しているｅチャンネルを選択することはなく、受信障害のないｅ’チャンネルを選択してチャンネルリストに登録する。以後は、このチャンネルリストに基づいてチャンネルの選択が行なわれる。この結果、テレビジョン受信機の初期設定時にｅチャンネルの受信条件が良好であったとしても、ｅチャンネルのリストへの登録を確実に阻止することができる。
【００５４】
なお、上記各実施形態では、ａ〜ｅチャンネルのテレビジョン放送を受信する場合において、ｅチャンネルの受信レベルが低い場合について説明したが、その他の受信条件においても、上記実施形態と同様にして実施し得るものである。
【００５５】
また、本発明は、上記実施形態そのままに限定されるものではなく、実施段階ではその要旨を逸脱しない範囲で構成要素を変形して具体化できるものである。
【図面の簡単な説明】
【００５６】
【図１】本発明の第１実施形態に係る地上デジタル放送再送信装置の構成を示すブロック図である。
【図２】同実施形態において、テレビジョン受信機に対する入力信号の受信レベルを示す図である。
【図３】本発明の第２実施形態に係る地上デジタル放送再送信装置の構成を示すブロック図である。
【図４】同実施形態において、テレビジョン受信機に対する入力信号の受信レベルを示す図である。
【図５】本発明の第３実施形態に係る地上デジタル放送再送信装置の構成を示すブロック図である。
【図６】（ａ）は受信点における受信レベル状況を示す図、（ｂ）はテレビジョン受信機に対する入力信号の受信レベルを示す図である。
【図７】本発明の第４実施形態に係る地上デジタル放送再送信装置の構成を示すブロック図である。
【図８】同実施形態において、テレビジョン受信機に対する入力信号の受信レベルを示す図である。
【図９】地上デジタルテレビジョン放送の受信点における受信レベル状況を示す図である。
【図１０】従来の地上デジタル放送再送信装置の構成を示すブロック図である。
【符号の説明】
【００５７】
１０…ＵＨＦ用受信アンテナ、１１…地上デジタル放送再送信装置、１２…入力端子、１３…分配器、１４…広帯域増幅装置、１５…広帯域増幅器、１６…混合器、１７…出力端子、２０…単チャンネル増幅装置、２１…バンドパスフィルタ、２２、２５…単チャンネルの増幅器、２３…ミキサ、２４…局部発振器、２６…バンドパスフィルタ、３０ａ…第１の周波数変換部、３０ｂ…第２の周波数変換部、３１…増幅器、３２…ミキサ、３３…局部発振器、３４…増幅器、３５…バンドパスフィルタ、４１、４５…バンドパスフィルタ、４２…ミキサ、４３…局部発振器、４４…広帯域増幅器、４５…バンドパスフィルタ、５１…混合器、５２…妨害波発生器。
【図１】
2006229590.tif 000003
【図２】
2006229590.tif 000004
【図３】
2006229590.tif 000005
【図４】
2006229590.tif 000006
【図５】
2006229590.tif 000007
【図６】
2006229590.tif 000008
【図７】
2006229590.tif 000009
【図８】
2006229590.tif 000010
【図９】
2006229590.tif 000011
【図１０】
2006229590.tif 000012